(57)【要約】【課題】トランジスタなどの新たな回路を追加せずに、太陽電池などの電源の短絡電流値を検出することが望まれている。【解決手段】制御部が、接続部の電圧を制御することにより、第１昇圧回路の入力側の電圧よりも第１昇圧回路の出力側の電圧を高くした状態で、第１スイッチをオンさせて、第１電源の出力端子間を短絡し、第１電源の第１閉回路を形成する。電流値取得部が、制御部が接続部の電圧を制御することで第１昇圧回路の入力側の電圧よりも第１昇圧回路の出力側の電圧が高い状態で、第１スイッチをオンさせている間に、第１閉回路に流れる第１短絡電流値を取得する。電源異常判定部が、第１短絡電流値と第１電源の特性に基づき予め定められた第１基準電流値との比較に基づいて、第１電源の異常の有無を判定する。【選択図】図１
2014161203.tif 000002
【特許請求の範囲】
【請求項１】
第１電源から出力された直流を昇圧し、昇圧された直流を交流に変換して系統電源側に出力するパワーコンディショナであって、
前記第１電源の出力端子間に接続される第１スイッチを有し、前記第１スイッチがオンオフすることで前記第１電源からの直流を昇圧する第１昇圧回路と、
前記第１昇圧回路から出力される直流を交流に変換するインバータと、
前記第１昇圧回路の出力側と前記インバータの入力側とを接続する接続部と、
前記接続部の電圧を制御することにより、前記第１昇圧回路の入力側の電圧よりも前記第１昇圧回路の出力側の電圧を高くした状態で、前記第１スイッチをオンさせて、前記第１電源の前記出力端子間を短絡し、前記第１電源の第１閉回路を形成する制御部と、  前記制御部が、前記接続部の電圧を制御することで前記第１昇圧回路の入力側の電圧よりも前記第１昇圧回路の出力側の電圧が高い状態で、前記第１スイッチをオンさせている間に、前記第１閉回路に流れる第１短絡電流値を取得する短絡電流値取得部と、
前記第１短絡電流値と前記第１電源の特性に基づき予め定められた第１基準電流値との比較に基づいて、前記第１電源の異常の有無を判定する電源異常判定部と
を備えるパワーコンディショナ。
【請求項２】
前記第１昇圧回路は、前記第１昇圧回路の出力側から電流が流入することを防止する第１逆流防止回路をさらに含む、請求項１に記載のパワーコンディショナ。
【請求項３】
第２電源の出力端子間に接続される第２スイッチを有し、前記第２スイッチがオンオフすることで前記第２電源からの直流を昇圧させる第２昇圧回路をさらに備え、
前記接続部は、前記第１昇圧回路の出力側と前記第２昇圧回路の出力側とを並列に接続し、
前記制御部は、前記第２スイッチをオンオフさせることで、前記接続部の電圧を制御して、前記第１昇圧回路の入力側の電圧よりも前記第１昇圧回路の出力側の電圧を高くする、請求項１または請求項２に記載のパワーコンディショナ。
【請求項４】
前記制御部は、前記第２スイッチをオンオフさせることで、前記接続部の電圧を制御して、前記第１昇圧回路の入力側の電圧よりも前記第１昇圧回路の出力側の電圧を高くできない場合、前記インバータを制御することにより、前記接続部の電圧を制御して、前記第１昇圧回路の入力側の電圧よりも前記第１昇圧回路の出力側の電圧を高くする、請求項３に記載のパワーコンディショナ。
【請求項５】
前記制御部は、前記第１スイッチをオンオフさせることで、前記接続部の電圧を制御することにより、前記第２昇圧回路の入力側の電圧よりも前記第２昇圧回路の出力側の電圧を高くした状態で、前記第２スイッチをオンさせて、前記第２電源の前記出力端子間を短絡し、前記第２電源の第２閉回路を形成し、
前記短絡電流値取得部は、前記制御部が、前記第１スイッチをオンオフさせることで前記接続部の電圧を制御して、前記第２昇圧回路の入力側の電圧よりも前記第２昇圧回路の出力側の電圧が高い状態で、前記第２スイッチをオンさせている間に、前記第２閉回路に流れる第２短絡電流値を取得し、
前記電源異常判定部は、前記第２短絡電流値と前記第２電源の特性に基づき予め定められた第２基準電流値との比較に基づいて、前記第２電源の異常の有無を判定する、請求項３または請求項４に記載のパワーコンディショナ。
【請求項６】
前記第２昇圧回路は、前記第２昇圧回路の出力側から電流が流入することを防止する第２逆流防止回路をさらに含む、請求項３から請求項５のいずれか１つに記載のパワーコンディショナ。
【請求項７】
前記制御部は、前記インバータを制御して、前記系統電源からの電力を前記接続部側に出力することで前記接続部の電圧を制御して、前記第１昇圧回路の入力側の電圧よりも前記第１昇圧回路の出力側の電圧を高くする、請求項１または請求項２に記載のパワーコンディショナ。
【請求項８】
前記第１電源である第１太陽電池と、
前記第１太陽電池からの直流を交流に変換して系統電源側に出力する請求項１から請求項７のいずれか１つに記載のパワーコンディショナと
を備える太陽電池システム。
【請求項９】
前記第１電源である第１太陽電池と、
前記第１太陽電池と並列に接続された前記第２電源である第２太陽電池と、
前記第１太陽電池および前記第２太陽電池からの直流を交流に変換して系統電源側に出力する請求項３から請求項６のいずれか１つに記載のパワーコンディショナと
を備える太陽電池システム。
【請求項１０】
第１電源の出力端子間に接続される第１スイッチを有し、前記第１スイッチがオンオフすることで前記第１電源からの直流を昇圧する第１昇圧回路と、前記第１昇圧回路から出力される直流を交流に変換するインバータと、前記第１昇圧回路の出力側と前記インバータの入力側とを接続する接続部とを備え、前記第１電源から出力された直流を昇圧し、昇圧された直流を交流に変換して系統電源側に出力するパワーコンディショナに接続される前記第１電源の異常判定を行う異常判定方法であって、
前記接続部の電圧を制御することにより、前記第１昇圧回路の入力側の電圧よりも前記第１昇圧回路の出力側の電圧を高くした状態で、前記第１スイッチをオンさせて、前記第１電源の前記出力端子間を短絡し、前記第１電源の第１閉回路を形成する段階と、
前記接続部の電圧を制御することで前記第１昇圧回路の入力側の電圧よりも前記第１昇圧回路の出力側の電圧が高い状態で、前記第１スイッチをオンさせている間に、前記第１閉回路に流れる第１短絡電流値を取得する段階と、
前記第１短絡電流値と前記第１電源の特性に基づき予め定められた第１基準電流値との比較に基づいて、前記第１電源の異常の有無を判定する段階と
を含む異常判定方法。
【請求項１１】
前記パワーコンディショナは、第２電源の出力端子間に接続される第２スイッチを有し、前記第２スイッチがオンオフすることで前記第２電源からの直流を昇圧させる第２昇圧回路をさらに備え、前記接続部は、前記第１昇圧回路の出力側と前記第２昇圧回路の出力側とを並列に接続し、
前記第１閉回路を形成する段階は、前記第２スイッチをオンオフさせることで、前記接続部の電圧を制御して、前記第１昇圧回路の入力側の電圧よりも前記第１昇圧回路の出力側の電圧を高くする、請求項１０に記載の異常判定方法。
【請求項１２】
前記第１閉回路を形成する段階は、前記第２スイッチをオンオフさせることで、前記接続部の電圧を制御して、前記第１昇圧回路の入力側の電圧よりも前記第１昇圧回路の出力側の電圧を高くできない場合、前記インバータを制御することにより、前記接続部の電圧を制御して、前記第１昇圧回路の入力側の電圧よりも前記第１昇圧回路の出力側の電圧を高くする、請求項１１に記載の異常判定方法。
【請求項１３】
前記第１スイッチをオンオフさせることで、前記接続部の電圧を制御することにより、前記第２昇圧回路の入力側の電圧よりも前記第２昇圧回路の出力側の電圧を高くした状態で、前記第２スイッチをオンさせて、前記第２電源の前記出力端子間を短絡し、前記第２電源の第２閉回路を形成する段階と、
前記第１スイッチをオンオフさせることで前記接続部の電圧を制御して、前記第２昇圧回路の入力側の電圧よりも前記第２昇圧回路の出力側の電圧が高い状態で、前記第２スイッチをオンさせている間に、前記第２閉回路に流れる第２短絡電流値を取得する段階と、
前記第２短絡電流値と前記第２電源の特性に基づき予め定められた第２基準電流値との比較に基づいて、前記第２電源の異常の有無を判定する段階と
をさらに含む、請求項１１から請求項１２のいずれか１つに記載の異常判定方法。
【発明の詳細な説明】
【技術分野】
【０００１】
本発明は、パワーコンディショナ、太陽電池システム、および異常判定方法に関する。
【背景技術】
【０００２】
太陽電池などの電源の異常の有無を判定する場合に、電源の短絡電流値をパラメータとして用いる場合がある。特許文献１には、複数の太陽電池モジュールが直列に接続されたストリングに並列されたトランジスタを介してストリングの閉回路を形成して、ストリングの短絡電流値を検出する太陽光発電システムが開示されている。
特許文献１  特開２００１−２５７３７７号公報
【発明の概要】
【発明が解決しようとする課題】
【０００３】
トランジスタなどの新たな回路を追加せずに、太陽電池などの電源の短絡電流値を検出することが望まれている。
【課題を解決するための手段】
【０００４】
本発明の一態様に係るパワーコンディショナは、第１電源から出力された直流を昇圧し、昇圧された直流を交流に変換して系統電源側に出力するパワーコンディショナであって、第１電源の出力端子間に接続される第１スイッチを有し、第１スイッチがオンオフすることで第１電源からの直流を昇圧する第１昇圧回路と、第１昇圧回路から出力される直流を交流に変換するインバータと、第１昇圧回路の出力側とインバータの入力側とを接続する接続部と、接続部の電圧を制御することにより、第１昇圧回路の入力側の電圧よりも第１昇圧回路の出力側の電圧を高くした状態で、第１スイッチをオンさせて、第１電源の出力端子間を短絡し、第１電源の第１閉回路を形成する制御部と、制御部が、接続部の電圧を制御することで第１昇圧回路の入力側の電圧よりも第１昇圧回路の出力側の電圧が高い状態で、第１スイッチをオンさせている間に、第１閉回路に流れる第１短絡電流値を取得する短絡電流値取得部と、第１短絡電流値と第１電源の特性に基づき予め定められた第１基準電流値との比較に基づいて、第１電源の異常の有無を判定する電源異常判定部とを備える。
【０００５】
上記パワーコンディショナにおいて、第１昇圧回路は、第１昇圧回路の出力側から電流が流入することを防止する第１逆流防止回路をさらに含んでもよい。
【０００６】
上記パワーコンディショナは、第２電源の出力端子間に接続される第２スイッチを有し、第２スイッチがオンオフすることで第２電源からの直流を昇圧させる第２昇圧回路をさらに備え、接続部は、第１昇圧回路の出力側と第２昇圧回路の出力側とを並列に接続し、制御部は、第２スイッチをオンオフさせることで、接続部の電圧を制御して、第１昇圧回路の入力側の電圧よりも第１昇圧回路の出力側の電圧を高くしてもよい。
【０００７】
上記パワーコンディショナにおいて、制御部は、第２スイッチをオンオフさせることで、接続部の電圧を制御して、第１昇圧回路の入力側の電圧よりも第１昇圧回路の出力側の電圧を高くできない場合、インバータを制御することにより、接続部の電圧を制御して、第１昇圧回路の入力側の電圧よりも第１昇圧回路の出力側の電圧を高くしてもよい。
【０００８】
上記パワーコンディショナにおいて、制御部は、第１スイッチをオンオフさせることで、接続部の電圧を制御することにより、第２昇圧回路の入力側の電圧よりも第２昇圧回路の出力側の電圧を高くした状態で、第２スイッチをオンさせて、第２電源の出力端子間を短絡し、第２電源の第２閉回路を形成し、短絡電流値取得部は、制御部が、第１スイッチをオンオフさせることで接続部の電圧を制御して、第２昇圧回路の入力側の電圧よりも第２昇圧回路の出力側の電圧が高い状態で、第２スイッチをオンさせている間に、第２閉回路に流れる第２短絡電流値を取得し、電源異常判定部は、第２短絡電流値と第２電源の特性に基づき予め定められた第２基準電流値との比較に基づいて、第２電源の異常の有無を判定してもよい。
【０００９】
上記パワーコンディショナにおいて、第２昇圧回路は、第２昇圧回路の出力側から電流が流入することを防止する第２逆流防止回路をさらに含んでもよい。
【００１０】
上記パワーコンディショナにおいて、制御部は、インバータを制御して、系統電源からの電力を接続部側に出力することで接続部の電圧を制御して、第１昇圧回路の入力側の電圧よりも第１昇圧回路の出力側の電圧を高くしてもよい。
【００１１】
本発明の一態様に係る太陽電池システムは、第１電源である第１太陽電池と、第１太陽電池からの直流を交流に変換して系統電源側に出力する上記パワーコンディショナとを備える。
【００１２】
本発明の一態様に係る太陽電池システムは、第１電源である第１太陽電池と、第１太陽電池と並列に接続された第２電源である第２太陽電池と、第１太陽電池および第２太陽電池からの直流を交流に変換して系統電源側に出力する上記パワーコンディショナとを備える。
【００１３】
本発明の一態様に係る異常判定方法は、第１電源の出力端子間に接続される第１スイッチを有し、第１スイッチがオンオフすることで第１電源からの直流を昇圧する第１昇圧回路と、第１昇圧回路から出力される直流を交流に変換するインバータと、第１昇圧回路の出力側とインバータの入力側とを接続する接続部とを備え、第１電源から出力された直流を昇圧し、昇圧された直流を交流に変換して系統電源側に出力するパワーコンディショナに接続される第１電源の異常判定を行う異常判定方法であって、接続部の電圧を制御することにより、第１昇圧回路の入力側の電圧よりも第１昇圧回路の出力側の電圧を高くした状態で、第１スイッチをオンさせて、第１電源の出力端子間を短絡し、第１電源の第１閉回路を形成する段階と、接続部の電圧を制御することで第１昇圧回路の入力側の電圧よりも第１昇圧回路の出力側の電圧が高い状態で、第１スイッチをオンさせている間に、第１閉回路に流れる第１短絡電流値を取得する段階と、第１短絡電流値と第１電源の特性に基づき予め定められた第１基準電流値との比較に基づいて、第１電源の異常の有無を判定する段階とを含む。
【００１４】
上記異常判定方法において、パワーコンディショナは、第２電源の出力端子間に接続される第２スイッチを有し、第２スイッチがオンオフすることで第２電源からの直流を昇圧させる第２昇圧回路をさらに備え、接続部は、第１昇圧回路の出力側と第２昇圧回路の出力側とを並列に接続し、第１閉回路を形成する段階は、第２スイッチをオンオフさせることで、接続部の電圧を制御して、第１昇圧回路の入力側の電圧よりも第１昇圧回路の出力側の電圧を高くしてもよい。
【００１５】
上記異常判定方法において、第１閉回路を形成する段階は、第２スイッチをオンオフさせることで、接続部の電圧を制御して、第１昇圧回路の入力側の電圧よりも第１昇圧回路の出力側の電圧を高くできない場合、インバータを制御することにより、接続部の電圧を制御して、第１昇圧回路の入力側の電圧よりも第１昇圧回路の出力側の電圧を高くしてもよい。
【００１６】
上記異常判定方法において、第１スイッチをオンオフさせることで、接続部の電圧を制御することにより、第２昇圧回路の入力側の電圧よりも第２昇圧回路の出力側の電圧を高くした状態で、第２スイッチをオンさせて、第２電源の出力端子間を短絡し、第２電源の第２閉回路を形成する段階と、第１スイッチをオンオフさせることで接続部の電圧を制御して、第２昇圧回路の入力側の電圧よりも第２昇圧回路の出力側の電圧が高い状態で、第２スイッチをオンさせている間に、第２閉回路に流れる第２短絡電流値を取得する段階と、第２短絡電流値と第２電源の特性に基づき予め定められた第２基準電流値との比較に基づいて、第２電源の異常の有無を判定する段階とをさらに含んでもよい。
【００１７】
なお、上記の発明の概要は、本発明の必要な特徴の全てを列挙したものではない。また、これらの特徴群のサブコンビネーションもまた、発明となりうる。
【図面の簡単な説明】
【００１８】
【図１】本実施形態に係る太陽電池システムの全体構成の一例を示すシステム構成図である。
【図２】本実施形態に係る制御装置の機能ブロックの一例を示す図である。
【図３】制御装置が太陽電池ストリングの異常の有無の判定を行う手順の一例を示すフローチャートである。
【図４】スイッチ制御部が、判定対象の太陽電池ストリングに接続された対象の昇圧回路の入力側の電圧以上に、接続部の電圧を制御する手順の一例を示すフローチャートである。
【図５】本実施形態の変形例に係る太陽電池システムの全体構成の一例を示すシステム構成図である。
【図６】本実施形態の変形例に係る制御装置による太陽電池ストリングの異常判定の手順の一例を示すフローチャートである。
【発明を実施するための形態】
【００１９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００２０】
図１は、本実施形態に係る太陽電池システムの全体構成の一例を示すシステム構成図を示す。太陽電池システムは、複数の太陽電池ストリング２００ａおよび２００ｂと、パワーコンディショナ１０とを備える。複数の太陽電池ストリング２００ａおよび２００ｂは、直列に接続された複数の太陽電池モジュールを有する。複数の太陽電池ストリング２００ａおよび２００ｂは、直流電圧を出力する第１電源および第２電源の一例である。第１電源および第２電源は、太陽電池、太陽電池を直列または並列に接続した太陽電池モジュール、または燃料電池などの太陽電池以外の他の電源でもよい。
【００２１】
パワーコンディショナ１０は、複数の太陽電池ストリング２００ａおよび２００ｂから出力される直流電圧を昇圧し、昇圧された直流電圧を交流電圧に変換して、系統電源３００側に出力する。
【００２２】
パワーコンディショナ１０は、コンデンサＣ１ａおよびＣ１ｂ、昇圧回路２０ａおよび２０ｂ、接続部３０、コンデンサＣ２、インバータ４０、コイルＬ２、コンデンサＣ３、連系リレー５０、供給電源６０、および制御装置１００を備える。
【００２３】
コンデンサＣ１ａの一端および他端は、太陽電池ストリング２００ａの正極端子および負極端子に電気的に接続され、太陽電池ストリング２００ａから出力される直流電圧を平滑化する。昇圧回路２０ａは、コイルＬ１ａ、スイッチＴｒａおよびダイオードＤａを有する。昇圧回路２０ａは、いわゆるチョッパ方式スイッチングレギュレータでよい。
【００２４】
スイッチＴｒａは、太陽電池ストリング２００ａの正極端子および負極端子間に接続される第１スイッチの一例であり、例えば絶縁ゲートバイポーラトランジスタ（ＩＧＢＴ）でよい。コイルＬ１ａの一端は、コンデンサＣ１ａの一端に接続され、コイルＬ１ａの他端は、スイッチＴｒａのコレクタに接続される。スイッチＴｒａのコレクタは、ダイオードＤａのアノードに接続され、スイッチＴｒａのエミッタは、コンデンサＣ１ａの他端に接続される。コイルＬ１ａは、スイッチＴｒａがオン期間中に太陽電池ストリング２００ａからの電力に基づくエネルギーを蓄積し、スイッチＴｒａがオフ期間中に蓄積されたエネルギーを放出する。これにより、昇圧回路２０ａは、太陽電池ストリング２００ａからの直流電圧を昇圧する。ダイオードＤａは、スイッチＴｒａと接続部３０との間に設けられ、昇圧された直流電圧が昇圧回路２０ａの出力側から入力側に流れることを防止する。ダイオードＤａは、第１逆流防止素子の一例である。
【００２５】
コンデンサＣ１ｂの一端および他端は、太陽電池ストリング２００ｂの正極端子および負極端子に電気的に接続され、太陽電池ストリング２００ｂから直流電圧を平滑化する。昇圧回路２０ｂは、コイルＬ１ｂ、スイッチＴｒｂおよびダイオードＤｂを有する。昇圧回路２０ａは、いわゆるチョッパ方式スイッチングレギュレータでよい。
【００２６】
スイッチＴｒｂは、太陽電池ストリング２００ｂの正極端子および負極端子間に接続される第２スイッチの一例であり、例えば絶縁ゲートバイポーラトランジスタ（ＩＧＢＴ）でよい。コイルＬ１ｂの一端は、コンデンサＣ１ｂの一端に接続され、コイルＬ１ａの他端は、スイッチＴｒｂのコレクタに接続される。スイッチＴｒｂのコレクタは、ダイオードＤｂのアノードに接続され、スイッチＴｒｂのエミッタは、コンデンサＣ１ｂの他端に接続される。コイルＬ１ｂは、スイッチＴｒｂがオン期間中に太陽電池ストリング２００ｂからの電力に基づくエネルギーを蓄積し、スイッチＴｒｂがオフ期間中に蓄積されたエネルギーを放出する。これにより、昇圧回路２０ｂは、太陽電池ストリング２００ｂからの直流電圧を昇圧する。ダイオードＤｂは、スイッチＴｒｂと接続部３０との間に設けられ、昇圧された直流電圧が昇圧回路２０ｂの出力側から入力側に流れることを防止する。ダイオードＤｂは、第２逆流防止素子の一例である。
【００２７】
なお、昇圧回路２０ａおよび２０ｂは、上記の構成には限定されず、例えば、ハーフブリッジ型昇圧回路、フルブリッジ型昇圧回路などの１次巻線および２次巻線を含むトランス巻線を有する絶縁型の昇圧回路により構成してもよい。絶縁型の昇圧回路は、太陽電池ストリング２００ａまたは太陽電池ストリング２００ｂなどの電源の出力端子間に接続される複数のスイッチを有する。複数のスイッチは、１次巻線と直列に接続されており、複数のスイッチがオンオフすることで、１次巻線に励磁電流が流れ、２次巻線に誘導電流が流れる。太陽電池システムが備える昇圧回路が、フルブリッジ型昇圧回路などのトランス巻線を有する絶縁型の昇圧回路の場合、１次巻線と直列に接続され、電源の出力端子間に接続される複数のスイッチが、第１スイッチまたは第２スイッチとして機能する。
【００２８】
接続部３０は、昇圧回路２０ａの出力側と昇圧回路２０ｂの出力側とを並列に接続する。コンデンサＣ２は、接続部３０から出力される直流電圧を平滑化する。インバータ４０は、スイッチを含み、スイッチがオンオフすることで昇圧回路２０ａおよび２０ｂから出力された直流電圧を交流電圧に変換する。インバータ４０は、例えば、ブリッジ接続された４つの半導体スイッチを含む単相フルブリッジＰＷＭインバータにより構成してもよい。４つの半導体スイッチのうち、一方の一対の半導体スイッチは直列に接続される。４つの半導体スイッチのうち、他方の一対の半導体スイッチは、直列に接続され、かつ一方の一対の半導体スイッチと並列に接続される。
【００２９】
インバータ４０と系統電源３００との間には、コイルＬ２およびコンデンサＣ３が設けられる。コイルＬ２およびコンデンサＣ３は、インバータ４０から出力された交流電圧からノイズを除去する。コンデンサＣ３と系統電源３００との間には、連系リレー５０が設けられる。連系リレー５０がオンすることで、パワーコンディショナ１０と系統電源３００とが電気的に接続され、オフすることでパワーコンディショナ１０と系統電源３００とが電気的に遮断される。
【００３０】
供給電源６０は、例えば、電源ＩＣチップにより構成される。供給電源６０は、接続部３０の両端に接続され、接続部３０から取り出される直流電圧から、制御装置１００に供給する予め定められた電圧値を示す電力を生成し、生成された電力を制御装置１００に供給する。
【００３１】
制御装置１００は、太陽電池ストリング２００ａおよび２００ｂから最大電力が得られるように、昇圧回路２０ａおよび２０ｂ、インバータ４０のスイッチング動作を制御して、太陽電池ストリング２００ａおよび２００ｂから出力される直流電圧を昇圧し、昇圧された直流電圧を交流電圧に変換して、系統電源３００側に出力する。
【００３２】
パワーコンディショナ１０は、電圧センサ１２ａおよび１２ｂ、電流センサ１４ａおよび１４ｂ、および電圧センサ１６をさらに備える。電圧センサ１２ａは、太陽電池ストリング２００ａの両端の電位差に対応する電圧値Ｖａｉｎを検知する。電圧センサ１２ｂは、太陽電池ストリング２００ｂの両端の電位差に対応する電圧値Ｖｂｉｎを検知する。電流センサ１４ａは、太陽電池ストリング２００ａから出力される電流に対応する電流値Ｉａｉｎを検知する。電流センサ１４ｂは、太陽電池ストリング２００ｂから出力される電流に対応する電流値Ｉｂｉｎを検知する。電圧センサ１６は、接続部３０の両端の電位差に対応する電圧値Ｖｏｕｔを検知する。
【００３３】
以上のように構成された太陽電池システムにおいて、太陽電池ストリング２００ａおよび２００ｂの短絡電流値を検知して、検知された短絡電流値に基づいて、太陽電池ストリング２００ａおよび２００ｂの異常の有無を判定する。
【００３４】
図２は、制御装置１００の機能ブロックの一例を示す図である。制御装置１００は、スイッチ制御部１０２、短絡電流値取得部１０４、電源異常判定部１０６、気象情報取得部１０８、送受信部１１０、タイミング決定部１１２、および記憶部１１４を備える。スイッチ制御部１０２、短絡電流値取得部１０４、電源異常判定部１０６、気象情報取得部１０８、タイミング決定部１１２、および記憶部１１４は、マイクロコンピュータにより構成してもよい。送受信部１１０は、無線アンテナにより構成してもよい。
【００３５】
スイッチ制御部１０２は、制御部の一例であり、昇圧回路２０ａに含まれるスイッチＴｒａをオンオフすることにより、スイッチＴｒａがオン期間中に太陽電池ストリング２００ａからの電力に基づくエネルギーをコイルＬ１ａに蓄積し、スイッチＴｒａがオフ期間中にコイルＬ１ａからエネルギーを放出することで昇圧回路２０ａによって太陽電池ストリング２００ａの電圧を昇圧させる。スイッチ制御部１０２は、昇圧回路２０ｂに含まれるスイッチＴｒｂをオンオフすることにより、スイッチＴｒｂがオン期間中に太陽電池ストリング２００ｂからの電力に基づくエネルギーをコイルＬ１ｂに蓄積し、スイッチＴｒｂがオフ期間中にコイルＬ１ｂからエネルギーを放出することで昇圧回路２０ｂによって太陽電池ストリング２００ｂの電圧を昇圧させる。
【００３６】
また、スイッチ制御部１０２は、太陽電池ストリング２００ａの短絡電流値である第１短絡電流値を取得する場合、昇圧回路２０ａの昇圧動作を停止させ、スイッチＴｒａをオンすることで、太陽電池ストリング２００ａの第１閉回路を形成させる。スイッチ制御部１０２は、太陽電池ストリング２００ｂの短絡電流値である第２短絡電流値を取得する場合、昇圧回路２０ｂの昇圧動作を停止させ、スイッチＴｒｂをオンすることで、太陽電池ストリング２００ｂの第２閉回路を形成させる。
【００３７】
短絡電流値取得部１０４は、昇圧回路２０ａの昇圧動作が停止中で、スイッチＴｒａがオンの期間中に第１閉回路に流れる第１短絡電流値を取得する。短絡電流値取得部１０４は、昇圧回路２０ｂの昇圧動作が停止中で、スイッチＴｒｂがオンの期間中に第２閉回路に流れる第２短絡電流値を取得する。
【００３８】
ここで、供給電源６０は、自身が駆動するための電力である駆動電力を接続部３０から取得してもよい。昇圧回路２０ａの入力側の電圧よりも出力側の電圧が低い場合、ダイオードＤａを介して太陽電池ストリング２００ａからの一部の電流がインバータ４０側に流れ込む。これにより、コンデンサＣ２の両端にかかる電圧が変動してしまう。つまり、接続部３０の両端の電圧が変動してしまう。接続部３０の両端の電圧が変動すると、供給電源６０に供給される電力が安定せず、供給電源６０から制御装置１００に安定して電力供給ができなくなる可能性がある。そこで、昇圧回路２０ａの出力側の電圧の大きさを入力側の電圧の大きさ以上にすることが好ましい。これにより、ダイオードＤａを介して太陽電池ストリング２００ａからの一部の電流がインバータ４０側に流れ込むことを防止できる。よって、接続部３０の両端の電圧が安定するので、供給電源６０に供給される電力が安定し、供給電源６０から制御装置１００に安定して電力供給できる。なお、供給電源６０は、系統電源３００からの電力を直接取り込んで、系統電源３００からの電力に基づいて、制御装置１００に供給する電力を生成してもよい。
【００３９】
スイッチ制御部１０２は、短絡電流値取得部１０４が第１短絡電流値を取得する場合、供給電源６０から制御装置１００に安定して電力供給をさせるべく、接続部３０の電圧を制御することにより、昇圧回路２０ａの入力側の電圧よりも昇圧回路２０ａの出力側の電圧を高くしてもよい。スイッチ制御部１０２は、昇圧回路２０ｂに含まれるスイッチＴｒｂをオンオフすることにより、接続部３０の電圧を、昇圧回路２０ａの入力側の電圧以上に制御してもよい。スイッチ制御部１０２は、短絡電流値取得部１０４が第１短絡電流値を取得する場合、昇圧回路２０ａの入力側の電圧よりも昇圧回路２０ａの出力側の電圧を高くした状態で、スイッチＴｒａをオンさせて、太陽電池ストリング２００ａの出力端子間を短絡し、太陽電池ストリング２００ａの第１閉回路を形成してもよい。スイッチ制御部１０２は、短絡電流値取得部１０４が第２短絡電流値を取得する場合、供給電源６０から制御装置１００に安定して電力供給させるべく、接続部３０の電圧を制御することにより、昇圧回路２０ｂの入力側の電圧よりも昇圧回路２０ｂの出力側の電圧を高くしてもよい。スイッチ制御部１０２は、昇圧回路２０ａに含まれるスイッチＴｒａを制御することで、接続部３０の電圧を、昇圧回路２０ｂの入力側の電圧以上に制御してもよい。スイッチ制御部１０２は、短絡電流値取得部１０４が第２短絡電流値を取得する場合、昇圧回路２０ｂの入力側の電圧よりも昇圧回路２０ｂの出力側の電圧を高くした状態で、スイッチＴｒｂをオンさせて、太陽電池ストリング２００ｂの出力端子間を短絡し、太陽電池ストリング２００ｂの第２閉回路を形成してもよい。
【００４０】
ここで、気象条件などによっては、太陽電池ストリング２００ａまたは太陽電池ストリング２００ｂから得られる電力が少なく、昇圧回路２０ａまたは２０ｂによる昇圧動作により、接続部３０の電圧を昇圧回路２０ｂの入力側の電圧または昇圧回路２０ａの入力側の電圧以上にすることができない場合がある。この場合、スイッチ制御部１０２は、インバータ４０に含まれるスイッチを制御することで、系統電源３００からの電力に基づいて接続部３０の電圧を昇圧回路２０ｂの入力側の電圧または昇圧回路２０ａの入力側の電圧以上にしてもよい。
【００４１】
スイッチ制御部１０２は、昇圧回路２０ｂに含まれるスイッチＴｒｂを制御することで、接続部３０の電圧を、昇圧回路２０ａの入力側の電圧以上に制御できない場合、インバータ４０に含まれる各スイッチをオンオフすることにより、系統電源３００からの電力を接続部３０側に出力することで、接続部３０の電圧を昇圧回路２０ａの入力側の電圧以上に制御してもよい。また、スイッチ制御部１０２は、昇圧回路２０ａに含まれるスイッチＴｒａを制御することで、接続部３０の電圧を、昇圧回路２０ａの入力側の電圧以上に制御できない場合、インバータ４０に含まれる各スイッチをオンオフすることにより、系統電源３００からの電力を接続部３０側に出力することで、接続部３０の電圧を昇圧回路２０ｂの入力側の電圧以上に制御してもよい。なお、スイッチ制御部１０２は、インバータ４０から出力される電流の位相を系統電源３００の電圧の位相と逆位相になるように、インバータ４０に含まれる各スイッチをＰＷＭ制御することで、インバータ４０に系統電源３００からの電力を接続部３０側に出力させることができる。
【００４２】
電源異常判定部１０６は、第１短絡電流値と太陽電池ストリング２００ａの特性に基づき予め定められた第１基準電流値との比較に基づいて、太陽電池ストリング２００ａの異常の有無を判定する。また、電源異常判定部１０６は、第２短絡電流値と太陽電池ストリング２００ｂの特性に基づき予め定められた第２基準電流値との比較に基づいて、太陽電池ストリング２００ｂの異常の有無を判定する。太陽電池ストリング２００ａおよび太陽電池ストリング２００ｂの発電量は、劣化などにより低下する可能性がある。発電量が低下している場合、検出される短絡電流も小さくなる。そこで、電源異常判定部１０６は、第１短絡電流値または第２短絡電流値が第１基準電流値または第２基準電流値より予め定められた値以上に小さい場合に、太陽電池ストリング２００ａまたは２００ｂに異常があると判定してもよい。
【００４３】
電源異常判定部１０６は、予め定められた気象条件において最初に短絡電流値取得部１０４により取得された第１短絡電流値または第２短絡電流値を第１基準電流値または第２基準電流値として決定してもよい。電源異常判定部１０６は、太陽電池ストリング２００ａおよび太陽電池ストリング２００ｂの発電量が予め定められた発電量のときに最初に短絡電流値取得部１０４により取得された第１短絡電流値または第２短絡電流値を第１基準電流値または第２基準電流値として決定してもよい。電源異常判定部１０６は、パワーコンディショナ１０の出力電力が予め定められた出力電力のときに最初に短絡電流値取得部１０４により取得された第１短絡電流値または第２短絡電流値を第１基準電流値または第２基準電流値として決定してもよい。電源異常判定部１０６は、パワーコンディショナ１０の内部温度が予め定められた温度のときに最初に短絡電流値取得部１０４により取得された第１短絡電流値または第２短絡電流値を第１基準電流値または第２基準電流値として決定してもよい。
【００４４】
電源異常判定部１０６は、決定された第１基準電流値または第２電流値と現時点で短絡電流値取得部１０４により取得された第１短絡電流値または第２短絡電流値と比較する。電源異常判定部１０６は、第１基準電圧値または第２基準電流値と第１短絡電流値または第２短絡電流値との差分が予め定められた基準差分よりも大きい場合に、太陽電池ストリング２００ａまたは太陽電池ストリング２００ｂが異常であると判定してもよい。
【００４５】
気象情報取得部１０８は、太陽電池ストリング２００ａおよび太陽電池ストリング２００ｂの発電量に影響を与えるパラメータである太陽電池ストリング２００ａおよび太陽電池ストリング２００ｂの設置場所付近の気象情報を取得する。気象情報は、気温、照度などを含む。送受信部１１０は、無線または有線を介して外部と通信する。送受信部１１０は、外部の管理装置から太陽電池ストリング２００ａおよび２００ｂの異常判定の実行を命令するメッセージを受信してもよい。また、送受信部１１０は、電源異常判定部１０６による判定結果を外部の管理装置などに送信してもよい。送受信部１１０は、短絡電流値取得部１０４が取得した第１短絡電流値および第２短絡電流値を外部の管理装置などに送信してもよい。
【００４６】
タイミング決定部１１２は、電源異常判定部１０６が太陽電池ストリング２００ａおよび太陽電池ストリング２００ｂの異常判定を行うタイミングを示す判定タイミングを決定する。タイミング決定部１１２は、例えば、気象情報取得部１０８が取得した気象情報に基づいて判定タイミングを決定してもよい。タイミング決定部１１２は、現在の気象条件が、第１基準電流値および第２基準電流値が決定されたときの気象条件と一致する場合に、現時点が判定タイミングであると決定してもよい。
【００４７】
また、タイミング決定部１１２は、太陽電池ストリング２００ａおよび太陽電池ストリング２００ｂのそれぞれの現時点の発電量が、第１基準電流値および第２基準電流値が取得されたときの発電量に基づき定められた基準範囲に含まれる場合に、現時点が判定タイミングであると決定してもよい。タイミング決定部１１２は、パワーコンディショナ１０の現時点の出力電力が、第１基準電流値および第２基準電流値が取得されたときの出力電力に基づき定められる基準範囲に含まれる場合に、現時点が判定タイミングであると決定してもよい。タイミング決定部１１２は、パワーコンディショナ１０の現時点の内部温度が、第１基準電流値および第２基準電流値が取得されたときの内部温度に基づき定められる基準範囲に含まれる場合に、現時点が判定タイミングであると決定してもよい。
【００４８】
また、タイミング決定部１１２は、現在の日付が予め定められた日付になった場合に、現時点が判定タイミングであると決定してもよい。あるいは、タイミング決定部１１２は、パワーコンディショナ１０の起動回数が予め定められた回数に達する毎に、判定タイミングであると決定してもよい。さらに、タイミング決定部１１２は、現在の日付が予め定められた日付になった後、またはパワーコンディショナ１０の起動回数が予め定められた回数に達した後、気象条件、太陽電池ストリング２００ａおよび太陽電池ストリング２００ｂの発電量、パワーコンディショナ１０の出力電力、パワーコンディショナ１０の内部温度のうち、少なくとも１つのパラメータが最初に予め定められた基準範囲に含まれた時点で、判定タイミングであると決定してもよい。
【００４９】
タイミング決定部１１２は、送受信部１１０が外部の管理装置から異常判定の実行を命令するメッセージを受信した場合に、現時点が判定タイミングであると決定してもよい。また、タイミング決定部１１２は、送受信部１１０が外部の管理装置から異常判定の実行を命令するメッセージを受信した後、気象条件、太陽電池ストリング２００ａおよび太陽電池ストリング２００ｂの発電量、パワーコンディショナ１０の出力電力、パワーコンディショナ１０の内部温度のうち、少なくとも１つのパラメータが最初に予め定められた基準範囲に含まれた時点で、判定タイミングであると決定してもよい。
【００５０】
記憶部１１４は、第１基準電流値および第２基準電流値、異常判定を行うタイミングを決定するための気象条件、太陽電池ストリング２００ａおよび２００ｂの発電量、パワーコンディショナ１０の出力電力、および内部温度などを記憶する。
【００５１】
図３は、制御装置１００が太陽電池ストリング２００ａおよび２００ｂの異常の有無の判定を行う手順の一例を示すフローチャートを示す。
【００５２】
タイミング決定部１１２は、上記のようないずれかの条件を満たす場合に、現時点を太陽電池ストリング２００ａおよび２００ｂの異常判定を行う判定タイミングであると決定する（Ｓ１００）。制御装置１００は、無駄な電力消費を抑制すべく、連系リレー５０をオフして、パワーコンディショナ１０と系統電源３００とを電気的に遮断する（Ｓ１０２）。
【００５３】
次いで、スイッチ制御部１０２は、判定対象の太陽電池ストリングに接続された対象の昇圧回路のスイッチをオフして、対象の昇圧回路の昇圧動作を停止する（Ｓ１０４）。例えば、スイッチ制御部１０２は、判定対象の太陽電池ストリング２００ａに接続された昇圧回路２０ａのスイッチＴｒａをオフして、昇圧回路２０ａの昇圧動作を停止する。
【００５４】
スイッチ制御部１０２は、電圧センサ１２ａおよび電圧センサ１６を介して、対象の昇圧回路の入力側の電圧値および出力側の電圧値を取得する。スイッチ制御部１０２は、対象の昇圧回路の入力側の電圧以上に、対象の昇圧回路の出力側の電圧、つまり接続部３０の電圧を制御する（Ｓ１０６）。
【００５５】
次いで、スイッチ制御部１０２は、対象の昇圧回路のスイッチをオンして判定対象の太陽電池ストリングを含む閉回路を形成させる。短絡電流値取得部１０４は、対象の昇圧回路のスイッチがオン期間中に、対象の昇圧回路のスイッチをオンすることで形成された閉回路に流れる電流値を短絡電流値として取得する（Ｓ１０８）。短絡電流値取得部１０４は、例えば、昇圧回路２０ａのスイッチＴｒａがオン期間中に、第１閉回路に流れる電流値を電流センサ１４ａを介して第１短絡電流値として取得する。
【００５６】
電源異常判定部１０６は、取得された短絡電流値と、判定対象の太陽電池ストリングに対応する基準電流値とを比較することで、判定対象の太陽電池ストリングの異常の有無を判定する（Ｓ１１２）。次いで、制御装置１００は、すべての太陽電池ストリングの異常の有無の判定が行われたか否かを判定する（Ｓ１１４）。すべての太陽電池ストリングの異常の有無の判定が行われていなければ、制御装置１００は、ステップＳ１０２からステップＳ１１２までの処理を繰り返す。制御装置１００は、例えば、太陽電池ストリング２００ａの異常の有無の判定後、太陽電池ストリング２００ｂの異常の有無の判定を行う。
【００５７】
電源異常判定部１０６は、短絡電流値取得部１０４が取得するごとに記憶部１１４に記憶させた複数の短絡電流値と、基準電流値とに基づいて判定対象の太陽電池ストリングの異常の有無を判定してもよい。電源異常判定部１０６は、当該複数の短絡電流値の平均値を算出し、平均値と基準電流値との比較に基づいて判定対象の太陽電池ストリングの異常の有無を判定してもよい。また、電源異常判定部１０６は、取得された短絡電流値と、基準電流値との差分が定められた基準差分以上の場合で、かつ短絡電流値が取得されたときの照度などの気象情報に関する条件と、基準電流値に対応付けられた照度などの気象情報に関する条件とが一致する場合に、判定対象の太陽電池ストリングの異常と判定してもよい。例えば、電源異常判定部１０６は、取得された短絡電流値と基準電流値との差分が定められた基準差分以上の場合で、かつ短絡電流値が取得されたときの照度が、基準電流値を決定したときの照度に基づいて定められる基準照度範囲に含まれる場合、判定対象の太陽電池ストリングの異常と判定してもよい。
【００５８】
図４は、スイッチ制御部１０２が、判定対象の太陽電池ストリングに接続された対象の昇圧回路の入力側の電圧以上に、接続部３０の電圧を制御する手順の一例を示すフローチャートを示す。
【００５９】
スイッチ制御部１０２は、判定対象の太陽電池ストリングに接続された昇圧回路の入力側の電圧Ｖｉｎを取得する（Ｓ２００）。スイッチ制御部１０２は、対象の昇圧回路以外の他の昇圧回路に昇圧動作をさせて、接続部３０の電圧Ｖｂｕｓを電圧Ｖｉｎ以上に制御する（Ｓ２０２）。次いで、スイッチ制御部１０２は、他の昇圧回路の昇圧動作により、電圧Ｖｂｕｓが電圧Ｖｉｎ以上になったかどうかを判定する（Ｓ２０４）。
【００６０】
例えば、他の昇圧回路に接続された太陽電池ストリングに対する照度が低く、当該太陽電池ストリングの発電量が低く、他の昇圧回路の昇圧動作により、接続部３０の電圧Ｖｂｕｓを電圧Ｖｉｎ以上に制御できない場合がある。この場合、スイッチ制御部１０２は、連系リレー５０をオンして、パワーコンディショナ１０と系統電源３００とを電気的に接続する（Ｓ２０６）。さらに、スイッチ制御部１０２は、インバータ４０を制御して、系統電源３００からの電力により、電圧Ｖｂｕｓを電圧Ｖｉｎ以上に制御する（Ｓ２０８）。例えば、スイッチ制御部１０２は、系統電源３００の交流電圧の位相と逆位相になるようにインバータ４０の出力電流の位相を制御すべく、インバータ４０に含まれる各スイッチをＰＷＭ制御する。以上の処理により、スイッチ制御部１０２は、電圧Ｖｂｕｓを電圧Ｖｉｎ以上に制御できる。
【００６１】
上記実施形態では、パワーコンディショナ１０は、２つの昇圧回路を備える例について説明した。しかし、パワーコンディショナ１０は、３つ以上の昇圧回路を備えてもよい。パワーコンディショナ１０が、３つの昇圧回路を備える場合、スイッチ制御部１０２は、３つの昇圧回路のうち判定対象の太陽電池ストリングに接続された対象の昇圧回路に含まれるスイッチをオンした状態で、３つの昇圧回路のうちいずれか１つの他の昇圧回路に昇圧動作をさせて、接続部３０の電圧Ｖｂｕｓを電圧Ｖｉｎ以上に制御してもよい。
【００６２】
図５は、本実施形態の変形例に係る太陽電池システムの全体構成の一例を示すシステム構成図を示す。本変形例に係る太陽電池システムは、パワーコンディショナ１０の外部に昇圧回路２０ｂが設けられている点で、図１に示す太陽電池システムと異なる。また、本変形例に係る太陽電池システムは、太陽電池ストリング２００ｂの短絡電流値を取得する制御装置１００ｂと、制御装置１００ｂに駆動電力を供給する供給電源６０ｂとを備える点で、図１に示す太陽電池システムと異なる。
【００６３】
太陽電池ストリング２００ｂから出力される直流電圧を昇圧する昇圧回路２０ｂの出力側は、パワーコンディショナ１０に設けられた昇圧回路２０ａの入力側に接続される。昇圧回路２０ｂの出力側の両端には、供給電源６０ｂが接続されている。供給電源６０ｂは、昇圧回路２０ｂの出力側から取り出される直流電圧から、制御装置１００ｂに供給する予め定められた電圧値を示す電力を生成し、生成された電力を制御装置１００ｂに供給する。
【００６４】
制御装置１００ｂは、制御装置１００と例えば、無線または有線により通信する。また、制御装置１００ｂは、制御装置１００と同様に、マイクロコンピュータおよび無線アンテナを含んで構成してもよい。制御装置１００ｂは、制御装置１００からの要求に応じて、昇圧回路２０ｂの昇圧動作を停止した後、スイッチＴｒｂをオンして、太陽電池ストリング２００ｂの第２閉回路を形成される。そして、制御装置１００ｂは、スイッチＴｒｂのオン期間中に、電流センサ１４ｂを介して太陽電池ストリング２００の第２短絡電流値を取得し、取得した第２短絡電流値を制御装置１００に送信する。なお、制御装置１００ｂは、取得した第２短絡電流値と予め記憶された第２基準電流値との比較に基づき、太陽電池ストリング２００ｂの異常の有無を判定し、判定結果を制御装置１００に送信してもよい。
【００６５】
ここで、太陽電池ストリング２００ｂの発電量は、太陽電池ストリング２００ａの発電量より少なくてもよい。太陽電池ストリング２００ａおよび太陽電池ストリング２００ｂを構成する太陽電池モジュールは同一の仕様のモジュールでなくてもよい。一方、太陽電池ストリング２００ａおよび太陽電池ストリング２００ｂを構成する太陽電池モジュールが同一の仕様のモジュールであれば、太陽電池ストリング２００ｂを構成する太陽電池モジュールの数は、太陽電池ストリング２００ａを構成する太陽電池モジュールの数より少なくてもよい。
【００６６】
太陽電池ストリング２００ａおよび２００ｂが上記のように構成されている場合、太陽電池ストリング２００ａから出力される電圧は、太陽電池ストリング２００ｂから出力される電圧より高い。よって、昇圧回路２０ｂの昇圧動作を停止した状態において、昇圧回路２０ｂの出力側の電圧は、昇圧回路２０ｂの入力側の電圧より高い。この場合、太陽電池ストリング２００ｂの第２短絡電流値を取得すべく、昇圧回路２０ｂの昇圧動作を停止した状態で、スイッチＴｒｂをオンした場合、昇圧回路２０ｂの出力側の電圧は変動しない。
【００６７】
図６は、本実施形態の変形例に係る制御装置１００による太陽電池ストリングの異常判定の手順の一例を示すフローチャートを示す。
【００６８】
タイミング決定部１１２は、外部の管理装置などからの異常判定の要求を示すメッセージの受信、気象条件、太陽電池ストリング２００ａおよび２００ｂの発電量、パワーコンディショナ１０の出力電力または内部温度などに基づいて、異常判定を行う判定タイミングを決定する（Ｓ３００）。スイッチ制御部１０２は、判定対象の各太陽電池ストリング２００ａおよび２００ｂに接続された各昇圧回路２０ａおよび２０ｂのスイッチをオフして、各昇圧回路２０ａおよび２０ｂの昇圧動作を停止させる。スイッチ制御部１０２は、例えば、送受信部１１０を介して制御装置１００ｂに対して昇圧回路２０ｂの昇圧動作を停止させるためのメッセージを送信し、制御装置１００ｂにより昇圧回路２０ｂの昇圧動作を停止させてもよい。
【００６９】
次いで、スイッチ制御部１０２は、インバータ４０を制御して、系統電源３００の出力電圧の位相と逆位相になるようにインバータ４０の出力電流の位相を制御して、系統電源３００からの電力により、接続部３０の電圧Ｖｂｕｓを昇圧回路２０ａの入力側の電圧Ｖｉｎ以上に制御する（Ｓ３０４）。
【００７０】
スイッチ制御部１０２は、昇圧回路２０ａスイッチＴｒａをオンする（Ｓ３０６）。短絡電流値取得部１０４は、昇圧回路２０ａがオンしている期間中に、太陽電池ストリング２００ａを含む第１閉回路に流れる第１短絡電流値および太陽電池ストリング２００ｂを含む第２閉回路に流れる第２短絡電流値の合計電流値を電流センサ１４ａを介して取得する（Ｓ３０８）。
【００７１】
次いで、スイッチ制御部１０２は、昇圧回路２０ａのスイッチＴｒａをオフして、昇圧回路２０ｂのスイッチＴｒｂをオンする（Ｓ３１０）。ここで、昇圧回路２０ａのスイッチＴｒａをオフすることで、供給電源６０ｂは、太陽電池ストリング２００ａからの電力を利用して、制御装置１００ｂに駆動電力を供給できる。制御装置１００ｂが駆動すると、制御装置１００ｂのスイッチ制御部が、制御装置１００からメッセージに応じて、昇圧回路２０ｂのスイッチＴｒｂをオンする。制御装置１００ｂは、電流センサ１４ｂを介して太陽電池ストリング２００ｂの第２短絡電流値を取得して、制御装置１００に送信する（Ｓ３１２）。制御装置１００ｂは、第２短絡電流値の送信後、昇圧回路２０ｂのスイッチＴｒｂをオフする（Ｓ３１４）。
【００７２】
次いで、電源異常判定部１０６は、取得した合計電流値と第２短絡電流値とに基づいて第１短絡電流値を取得する（Ｓ３１６）。電源異常判定部１０６は、合計電流値から第２短絡電流値を減算することで、第１短絡電流値を取得してもよい。電源異常判定部１０６は、取得した第１短絡電流値および第２短絡電流値と、第１短絡電流値および第２短絡電流値に対応する各基準電流値とを比較することで、各太陽電池ストリング２００ａおよび２００ｂの異常の有無を判定する（Ｓ３１８）。
【００７３】
以上の通り、本変形例に係る太陽電池システムによれば、パワーコンディショナ１０の内部および外部に昇圧回路が設けられている場合でも、それぞれの昇圧回路に接続された各太陽電池ストリングの短絡電流値を取得して、各太陽電池ストリングの異常の有無を判定できる。
【００７４】
以上、上記各太陽電池システムによれば、太陽電池システムに設けられた既存の昇圧回路を利用して、太陽電池ストリングの閉回路を形成できる。よって、太陽電池ストリングの短絡電流値を取得することを目的として、トランジスタなどの回路を新たに設けなくてよい。また、昇圧回路を遠隔制御することで、点検者は、太陽電池ストリングの設置場所に訪問することなく、遠隔操作により、太陽電池ストリングの短絡電流値に基づいて太陽電池ストリングの異常の有無を検査できる。
【００７５】
また、太陽電池ストリングとアースとの間には、浮遊容量が存在する。そのため、太陽電池ストリングを短絡すると、短絡により形成された閉回路に浮遊容量に起因する比較的大きな電流が流れる可能性がある。よって、太陽電池ストリングを短絡することを目的として、単にトランジスタを設ける場合、浮遊容量に起因する電流によりトランジスタが故障しないように、大型のトランジスタを設ける必要がある。しかし、本実施形態に係る太陽電池システムによれば、太陽電池ストリングを短絡するためのトランジスタとして、昇圧回路に設けられたトランジスタを用いる。昇圧回路には、入力された電圧を昇圧させるためのコイルまたはトランス巻線が設けられている。コイルまたはトランス巻線により浮遊容量に起因する電流を吸収することができる。よって、浮遊容量に起因する電流によりトランジスタが故障しないように、短絡電流値を取得するための大型のトランジスタを新たに追加しなくて済む。
【００７６】
さらに、判定対象の太陽電池ストリングに接続された対象の昇圧回路の入力側の電圧以上に接続部３０の電圧を制御する電圧制御動作を、判定対象の太陽電池ストリング以外の太陽電池ストリングからの電力を用いた他の昇圧回路の昇圧動作により実現できる。これにより、電圧制御動作に伴う系統電源３００からの電力消費を可能な限り抑制できる。
【００７７】
なお、制御装置１００が備える各部は、太陽電池ストリングの短絡電流値の取得および異常の有無の判定に関する各種処理を行う、コンピュータが読み取り可能な記録媒体に記憶されたプログラムをコンピュータにインストールし、このプログラムをコンピュータに実行させることで、構成してもよい。つまり、コンピュータに太陽電池ストリングの短絡電流値の取得および異常の有無の判定に関する各種処理を行うプログラムを実行させることにより、制御装置１００が備える各部としてコンピュータを機能させることで、制御装置１００を構成してもよい。
【００７８】
コンピュータはＣＰＵ、ＲＯＭ、ＲＡＭ、ＥＥＰＲＯＭ（登録商標）等の各種メモリ、通信バス及びインタフェースを有し、予めファームウェアとしてＲＯＭに格納された処理プログラムをＣＰＵが読み出して順次実行することで、制御装置１００として機能する。
【００７９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８０】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８１】
１０  パワーコンディショナ
２０ａ，２０ｂ  昇圧回路
３０  接続部
４０  インバータ
５０  連系リレー
６０  供給電源
１００  制御装置
１０２  スイッチ制御部
１０４  短絡電流値取得部
１０６  電源異常判定部
１０８  気象情報取得部
１１０  送受信部
１１２  タイミング決定部
１１４  記憶部
２００ａ，２００ｂ  太陽電池ストリング
３００  系統電源
Ｄａ，Ｄｂ  ダイオード
Ｌ１ａ，Ｌ１ｂ  コイル
Ｔｒａ，Ｔｒｂ  スイッチ
【図１】
2014161203.tif 000003
【図２】
2014161203.tif 000004
【図３】
2014161203.tif 000005
【図４】
2014161203.tif 000006
【図５】
2014161203.tif 000007
【図６】
2014161203.tif 000008